(57)【要約】【課題】紙葉類束を生成して束収納部に収納するための処理の時間を短縮する。【解決手段】束生成部３０は、所定枚数の紙葉類によって構成された紙葉類束を生成して繰り出す動作を繰り返す。束収納部５０は、紙葉類束を収納する。束搬送部６０は、束生成部３０から繰り出された紙葉類束を束収納部５０に搬送する。制御部８０は、束収納部５０に収納された紙葉類束の束厚の合計である合計束厚に応じて束生成部３０から繰り出される予定となっている紙葉類束の束数および束搬送部６０に搬送されている紙葉類束の束数の合計である搬送束数が段階的に変化するように、紙葉類処理装置１０の動作を制御する。【選択図】図２
2018081379.tif 000002
【特許請求の範囲】
【請求項１】
紙葉類を処理する紙葉類処理装置であって、
所定枚数の紙葉類によって構成された紙葉類束を生成して繰り出す動作を繰り返すように構成された束生成部と、
前記紙葉類束を収納するように構成された束収納部と、
前記束生成部から繰り出された紙葉類束を前記束収納部に搬送するように構成された束搬送部と、
前記束収納部に収納された紙葉類束の束厚の合計である合計束厚に応じて前記束生成部から繰り出される予定となっている紙葉類束の束数および前記束搬送部に搬送されている紙葉類束の束数の合計である搬送束数が段階的に変化するように、前記紙葉類処理装置の動作を制御するように構成された制御部とを備えている
ことを特徴とする紙葉類処理装置。
【請求項２】
請求項１において、
前記制御部は、
前記合計束厚が第１束厚閾値を下回る場合に、前記搬送束数が第１搬送束数となるように前記紙葉類処理装置の動作を制御し、
前記合計束厚が前記第１束厚閾値以上であり且つ該第１束厚閾値よりも厚い第２束厚閾値を下回る場合に、前記搬送束数が前記第１搬送束数よりも少ない第２搬送束数となるように前記紙葉類処理装置の動作を制御し、
前記合計束厚が前記第２束厚閾値以上であり且つ該第２束厚閾値よりも厚い第３束厚閾値を下回る場合に、前記搬送束数が前記第２搬送束数よりも少ない第３搬送束数となるように前記紙葉類処理装置の動作を制御し、
前記合計束厚が前記第３束厚閾値以上である場合に、前記紙葉類束の生成を停止するように前記紙葉類処理装置の動作を制御する
ことを特徴とする紙葉類処理装置。
【請求項３】
請求項２において、
前記第１束厚閾値は、前記紙葉類束の束厚に対して予め定められた基準束厚に予め定められた第１収納束数を乗算して得られる束厚に設定され、
前記第２束厚閾値は、前記基準束厚に前記第１収納束数よりも多い第２収納束数を乗算して得られる束厚に設定され
前記第３束厚閾値は、前記基準束厚に前記第２収納束数よりも多い第３収納束数を乗算して得られる束厚に設定される
ことを特徴とする紙葉類処理装置。
【請求項４】
請求項３において、
前記第１搬送束数は、前記第２収納束数から前記第１収納束数を減算して得られる束数よりも少なくなっているか同一となっている
ことを特徴とする紙葉類処理装置。
【請求項５】
請求項３または４において、
前記第２搬送束数は、前記第３収納束数から前記第２収納束数を減算して得られる束数よりも少なくなっているか同一となっている
ことを特徴とする紙葉類処理装置。
【請求項６】
請求項３〜５のいずれか１項において、
前記第３搬送束数は、前記束収納部に対して予め定められた上限収納束数から前記第３収納束数を減算して得られる束数よりも少なくなっているか同一となっている
ことを特徴とする紙葉類処理装置。
【請求項７】
請求項６において、
前記第３搬送束数は、１となっている
ことを特徴とする紙葉類処理装置。
【請求項８】
請求項２〜７のいずれか１項において、
前記束収納部には、
前記合計束厚が前記第１束厚閾値に到達したことを検知するように構成された第１センサと、
前記合計束厚が前記第２束厚閾値に到達したことを検知するように構成された第２センサと、
前記合計束厚が前記第３束厚閾値に到達したことを検知するように構成された第３センサとが設けられ、
前記制御部は、
前記第１センサによる検知がない場合に、前記搬送束数が前記第１搬送束数となるように前記紙葉類処理装置の動作を制御し、
前記第１センサによる検知があり且つ前記第２センサによる検知がない場合に、前記搬送束数が前記第２搬送束数となるように前記紙葉類処理装置の動作を制御し、
前記第２センサによる検知があり且つ前記第３センサによる検知がない場合に、前記搬送束数が前記第３搬送束数となるように前記紙葉類処理装置の動作を制御し、
前記第３センサによる検知がある場合に、前記紙葉類束の生成を停止するように前記紙葉類処理装置の動作を制御する
ことを特徴とする紙葉類処理装置。
【請求項９】
請求項２〜７のいずれか１項において、
前記束収納部には、
前記紙葉類束が載置されて昇降するように構成され、該紙葉類束が載置されると載置された紙葉類束の最上面が該束収納部に対して予め定められた収納上限位置となるように降下する昇降ステージと、
前記昇降ステージが前記収納上限位置の下方に存在し且つ該収納上限位置との間の距離が前記第２束厚閾値に対応する距離となっている上側閾値位置に到達したことを検知するように構成された上側センサと、
前記昇降ステージが前記上側閾値位置の下方に存在し且つ前記収納上限位置との間の距離が前記第３束厚閾値に対応する距離となっている下側閾値位置に到達したことを検知するように構成された下側センサとが設けられ、
前記制御部は、
前記昇降ステージに紙葉類束が載置されて該昇降ステージが降下する際に前記上側センサによる検知がない場合に、前記第２束厚閾値から前記第１束厚閾値を減算して得られる束厚に対応する強制移動距離だけ該昇降ステージを降下させた後に該昇降ステージを元の位置に戻すように構成され、
前記昇降ステージに紙葉類束が載置されて該昇降ステージが降下する際に前記上側センサによる検知がなく且つ前記強制移動距離だけ該昇降ステージを降下させて該昇降ステージを元の位置に戻す際に該上側センサによる検知がない場合に、前記搬送束数が前記第１搬送束数となるように前記紙葉類処理装置の動作を制御し、
前記昇降ステージに紙葉類束が載置されて該昇降ステージが降下する際に前記上側センサによる検知がなく且つ前記強制移動距離だけ該昇降ステージを降下させて該昇降ステージを元の位置に戻す際に該上側センサによる検知がある場合に、前記搬送束数が前記第２搬送束数となるように前記紙葉類処理装置の動作を制御し、
前記昇降ステージに紙葉類束が載置されて該昇降ステージが降下する際に前記上側センサによる検知があり且つ前記下側センサによる検知がない場合に、前記搬送束数が前記第３搬送束数となるように前記紙葉類処理装置の動作を制御し、
前記昇降ステージに紙葉類束が載置されて該昇降ステージが降下する際に前記下側センサによる検知がある場合に、前記紙葉類束の生成を停止するように前記紙葉類処理装置の動作を制御する
ことを特徴とする紙葉類処理装置。
【請求項１０】
請求項２〜８のいずれか１項において、
前記制御部は、第１収集制御と、第２収集制御とを行うように構成され、
前記第１収集制御では、前記制御部は、
前記合計束厚が前記第１束厚閾値を下回る場合に、前記搬送束数が前記第１搬送束数となるように前記紙葉類処理装置の動作を制御し、
前記合計束厚が前記第１束厚閾値以上であり且つ前記第２束厚閾値を下回る場合に、前記搬送束数が前記第２搬送束数となるように前記紙葉類処理装置の動作を制御し、
前記合計束厚が前記第２束厚閾値以上であり且つ前記第３束厚閾値を下回る場合に、前記搬送束数が前記第３搬送束数となるように前記紙葉類処理装置の動作を制御し、
前記合計束厚が前記第３束厚閾値以上である場合に、前記紙葉類束の生成を停止するように前記紙葉類処理装置の動作を制御し、
前記第２収集制御では、前記制御部は、
前記合計束厚が前記第１束厚閾値を下回る場合に、前記搬送束数が第４搬送束数となるように前記紙葉類処理装置の動作を制御し、
前記合計束厚が前記第１束厚閾値以上であり且つ前記第２束厚閾値を下回る場合に、前記搬送束数が前記第４搬送束数よりも少ない第５搬送束数となるように前記紙葉類処理装置の動作を制御し、
前記合計束厚が前記第２束厚閾値以上である場合に、前記紙葉類束の生成を停止するように前記紙葉類処理装置の動作を制御する
ことを特徴とする紙葉類処理装置。
【請求項１１】
請求項１〜１０のいずれか１項に記載の紙葉類処理装置と、
操作者に操作される操作部とを備え、
前記紙葉類処理装置は、前記操作部の操作に応じて動作するように構成されている
ことを特徴とする処理システム。
【請求項１２】
所定枚数の紙葉類によって構成された紙葉類束を生成して繰り出す動作を繰り返すように構成された束生成部と、前記紙葉類束を収納するように構成された束収納部と、前記束生成部から繰り出された紙葉類束を前記束収納部に搬送するように構成された束搬送部とを備えた紙葉類処理装置を用いた紙葉類処理方法であって、
前記束収納部に収納された紙葉類束の束厚の合計である合計束厚の変化を検出する第１工程と、
前記合計束厚の変化に応じて前記束生成部から繰り出される予定となっている紙葉類束の束数および前記束搬送部に搬送されている紙葉類束の束数の合計である搬送束数が段階的に変化するように、前記紙葉類処理装置の動作を制御する第２工程とを備えている
ことを特徴とする紙葉類処理方法。
【発明の詳細な説明】
【技術分野】
【０００１】
ここに開示する技術は、紙葉類処理技術に関する。
【背景技術】
【０００２】
従来、紙幣や有価媒体などの紙葉類を処理する紙葉類処理装置が知られている。また、このような紙葉類処理装置において所定枚数の紙葉類から紙葉類束を生成して束収納部に収納することが知られている。例えば、特許文献１には、金種カセットから繰り出された所定枚数の紙幣から紙幣束を生成する結束部（束生成部）を備えた紙幣処理装置が開示されている。紙幣結束部において生成された紙幣束は、束収納部に搬送されて収納される。
【先行技術文献】
【特許文献】
【０００３】
【特許文献１】特開２０１４−０８１６７８号公報
【発明の概要】
【発明が解決しようとする課題】
【０００４】
ところで、特許文献１の紙幣処理装置のような紙葉類処理装置において、束収納部におけるオーバーフローの発生を防止するために、束収納部に対して上限収納束数（束収納部に収納可能な紙葉類束の束数の上限値）を設定し、束収納部に収納された紙葉類束の束数が上限収納束数に到達すると束生成部における紙葉類束の生成が終了するように紙葉類処理装置の動作を制御することが考えられる。しかしながら、紙葉類束の束厚は、紙葉類束を構成する紙葉類の状態に依存して変化する。例えば、流通期間が比較的に長い紙幣（流通券）によって構成された紙幣束（紙葉類束の一例）の束厚は、流通期間が比較的に短い紙幣（新券）によって構成された紙幣束の束厚よりも厚くなる傾向にある。したがって、束収納部に収納することができる紙葉類束の束数は、その紙葉類束の状態に依存して変化することになる。そのため、さまざまな状態（特に厚み）の紙葉類束が束収納部に収納されることになるので、上限収納束数を適切に設定することが困難であり、紙葉類処理装置の動作を適切に制御することが困難である。
【０００５】
また、特許文献１の紙幣処理装置のような紙葉類処理装置において、束収納部のフル状態（束収納部が紙葉類束で満杯となっている状態）を検知するセンサを設け、そのセンサにより束収納部のフル状態が検知されると束生成部における紙葉類束の生成が終了するように紙葉類処理装置の動作を制御することが考えられる。しかしながら、束生成部において紙葉類束の生成が停止されたときに束生成部と束収納部との間の搬送経路上に搬送途中の紙葉類束が残存していると、この搬送途中の紙葉類束が束収納部に搬送されて束収納部においてオーバーフローが発生してしまう可能性がある。そのため、束生成部において生成された１つの紙葉類束が束生成部から束収納部に搬送されて収納された後に、束生成部において次の紙葉類束の生成が開始されるように、紙葉類処理装置の動作を制御することが考えられるが、このような制御では、紙葉類束を生成して束収納部に収納するための処理の時間を短縮することが困難である。
【０００６】
そこで、ここに開示する技術は、紙葉類束の束厚の変化による収納束数（束収納部に収納される紙幣束の束数）の変化に影響を受けることなく紙葉類処理装置の動作を適切に制御することを可能とし、且つ、紙葉類束を生成して束収納部に収納する処理の時間を短縮することを可能とすることを目的とする。
【課題を解決するための手段】
【０００７】
ここに開示する技術は、紙葉類を処理する紙葉類処理装置に関し、この紙葉類処理装置は、所定枚数の紙葉類によって構成された紙葉類束を生成して繰り出す動作を繰り返すように構成された束生成部と、前記紙葉類束を収納するように構成された束収納部と、前記束生成部から繰り出された紙葉類束を前記束収納部に搬送するように構成された束搬送部と、前記束収納部に収納された紙葉類束の束厚の合計である合計束厚に応じて前記束生成部から繰り出される予定となっている紙葉類束の束数および前記束搬送部に搬送されている紙葉類束の束数の合計である搬送束数が段階的に変化するように、前記紙葉類処理装置の動作を制御するように構成された制御部とを備えている。
【０００８】
前記制御部は、前記合計束厚が第１束厚閾値を下回る場合に、前記搬送束数が第１搬送束数となるように前記紙葉類処理装置の動作を制御し、前記合計束厚が前記第１束厚閾値以上であり且つ該第１束厚閾値よりも厚い第２束厚閾値を下回る場合に、前記搬送束数が前記第１搬送束数よりも少ない第２搬送束数となるように前記紙葉類処理装置の動作を制御し、前記合計束厚が前記第２束厚閾値以上であり且つ該第２束厚閾値よりも厚い第３束厚閾値を下回る場合に、前記搬送束数が前記第２搬送束数よりも少ない第３搬送束数となるように前記紙葉類処理装置の動作を制御し、前記合計束厚が前記第３束厚閾値以上である場合に、前記紙葉類束の生成を停止するように前記紙葉類処理装置の動作を制御するように構成されていてもよい。
【０００９】
前記第１束厚閾値は、前記紙葉類束の束厚に対して予め定められた基準束厚に予め定められた第１収納束数を乗算して得られる束厚に設定されてもよい。前記第２束厚閾値は、前記基準束厚に前記第１収納束数よりも多い第２収納束数を乗算して得られる束厚に設定されてもよい。前記第３束厚閾値は、前記基準束厚に前記第２収納束数よりも多い第３収納束数を乗算して得られる束厚に設定されてもよい。
【００１０】
前記第１搬送束数は、前記第２収納束数から前記第１収納束数を減算して得られる束数よりも少なくなっているか同一となっていてもよい。
【００１１】
前記第２搬送束数は、前記第３収納束数から前記第２収納束数を減算して得られる束数よりも少なくなっているか同一となっていてもよい。
【００１２】
前記第３搬送束数は、前記束収納部に対して予め定められた上限収納束数から前記第３収納束数を減算して得られる束数よりも少なくなっているか同一となっていてもよい。
【００１３】
前記第３搬送束数は、１となっていてもよい。
【００１４】
前記束収納部には、前記合計束厚が前記第１束厚閾値に到達したことを検知するように構成された第１センサと、前記合計束厚が前記第２束厚閾値に到達したことを検知するように構成された第２センサと、前記合計束厚が前記第３束厚閾値に到達したことを検知するように構成された第３センサとが設けられていてもよい。そして、前記制御部は、前記第１センサによる検知がない場合に、前記搬送束数が前記第１搬送束数となるように前記紙葉類処理装置の動作を制御し、前記第１センサによる検知があり且つ前記第２センサによる検知がない場合に、前記搬送束数が前記第２搬送束数となるように前記紙葉類処理装置の動作を制御し、前記第２センサによる検知があり且つ前記第３センサによる検知がない場合に、前記搬送束数が前記第３搬送束数となるように前記紙葉類処理装置の動作を制御し、前記第３センサによる検知がある場合に、前記紙葉類束の生成を停止するように前記紙葉類処理装置の動作を制御するように構成されていてもよい。
【００１５】
前記束収納部には、前記紙葉類束が載置されて昇降するように構成され、該紙葉類束が載置されると載置された紙葉類束の最上面が該束収納部に対して予め定められた収納上限位置となるように降下する昇降ステージと、前記昇降ステージが前記収納上限位置の下方に存在し且つ該収納上限位置との間の距離が前記第２束厚閾値に対応する距離となっている上側閾値位置に到達したことを検知するように構成された上側センサと、前記昇降ステージが前記上側閾値位置の下方に存在し且つ前記収納上限位置との間の距離が前記第３束厚閾値に対応する距離となっている下側閾値位置に到達したことを検知するように構成された下側センサとが設けられていてもよい。前記制御部は、前記昇降ステージに紙葉類束が載置されて該昇降ステージが降下する際に前記上側センサによる検知がない場合に、前記第２束厚閾値から前記第１束厚閾値を減算して得られる束厚に対応する強制移動距離だけ該昇降ステージを降下させた後に該昇降ステージを元の位置に戻すように構成されていてもよい。そして、前記制御部は、前記昇降ステージに紙葉類束が載置されて該昇降ステージが降下する際に前記上側センサによる検知がなく且つ前記強制移動距離だけ該昇降ステージを降下させて該昇降ステージを元の位置に戻す際に該上側センサによる検知がない場合に、前記搬送束数が前記第１搬送束数となるように前記紙葉類処理装置の動作を制御し、前記昇降ステージに紙葉類束が載置されて該昇降ステージが降下する際に前記上側センサによる検知がなく且つ前記強制移動距離だけ該昇降ステージを降下させて該昇降ステージを元の位置に戻す際に該上側センサによる検知がある場合に、前記搬送束数が前記第２搬送束数となるように前記紙葉類処理装置の動作を制御し、前記昇降ステージに紙葉類束が載置されて該昇降ステージが降下する際に前記上側センサによる検知があり且つ前記下側センサによる検知がない場合に、前記搬送束数が前記第３搬送束数となるように前記紙葉類処理装置の動作を制御し、前記昇降ステージに紙葉類束が載置されて該昇降ステージが降下する際に前記下側センサによる検知がある場合に、前記紙葉類束の生成を停止するように前記紙葉類処理装置の動作を制御するように構成されていてもよい。
【００１６】
前記制御部は、第１収集制御と、第２収集制御とを行うように構成されていてもよい。前記第１収集制御では、前記制御部は、前記合計束厚が前記第１束厚閾値を下回る場合に、前記搬送束数が前記第１搬送束数となるように前記紙葉類処理装置の動作を制御し、前記合計束厚が前記第１束厚閾値以上であり且つ前記第２束厚閾値を下回る場合に、前記搬送束数が前記第２搬送束数となるように前記紙葉類処理装置の動作を制御し、前記合計束厚が前記第２束厚閾値以上であり且つ前記第３束厚閾値を下回る場合に、前記搬送束数が前記第３搬送束数となるように前記紙葉類処理装置の動作を制御し、前記合計束厚が前記第３束厚閾値以上である場合に、前記紙葉類束の生成を停止するように前記紙葉類処理装置の動作を制御してもよい。前記第２収集制御では、前記制御部は、前記合計束厚が前記第１束厚閾値を下回る場合に、前記搬送束数が第４搬送束数となるように前記紙葉類処理装置の動作を制御し、前記合計束厚が前記第１束厚閾値以上であり且つ前記第２束厚閾値を下回る場合に、前記搬送束数が前記第４搬送束数よりも少ない第５搬送束数となるように前記紙葉類処理装置の動作を制御し、前記合計束厚が前記第２束厚閾値以上である場合に、前記紙葉類束の生成を停止するように前記紙葉類処理装置の動作を制御してもよい。
【００１７】
また、ここに開示する技術は、処理システムに関し、この処理システムは、前記紙葉類処理装置と、操作者に操作される操作部とを備え、前記紙葉類処理装置は、前記操作部の操作に応じて動作するように構成されている。
【００１８】
また、ここに開示する技術は、所定枚数の紙葉類によって構成された紙葉類束を生成して繰り出す動作を繰り返すように構成された束生成部と、前記紙葉類束を収納するように構成された束収納部と、前記束生成部から繰り出された紙葉類束を前記束収納部に搬送するように構成された束搬送部とを備えた紙葉類処理装置を用いた紙葉類処理方法に関し、この紙葉類処理方法は、前記束収納部に収納された紙葉類束の束厚の合計である合計束厚の変化を検出する第１工程と、前記合計束厚の変化に応じて前記束生成部から繰り出される予定となっている紙葉類束の束数および前記束搬送部に搬送されている紙葉類束の束数の合計である搬送束数が段階的に変化するように、前記紙葉類処理装置の動作を制御する第２工程とを備えている。
【発明の効果】
【００１９】
ここに開示する技術によれば、紙葉類束の束厚の変化による収納束数（束収納部に収納された紙葉類束の束数）の変化に影響を受けることなく紙葉類処理装置の動作を適切に制御することができる。また、紙葉類束を生成して束収納部に収納する処理の時間を短縮することができる。
【図面の簡単な説明】
【００２０】
【図１】紙幣処理装置を備えた貨幣処理システムの外観を例示する斜視図である。
【図２】紙幣処理装置の構成を例示する概略図である。
【図３】紙幣処理装置の構成を例示するブロック図である。
【図４】束収納部の構成を例示する概略図である。
【図５】紙幣処理装置の動作について説明するためのフローチャートである。
【図６】第１収集動作における紙幣束の搬送について説明するための概略図である。
【図７】第２収集動作における紙幣束の搬送について説明するための概略図である。
【図８】第３収集動作における紙幣束の搬送について説明するための概略図である。
【図９】紙幣処理装置の変形例１における束収納部の構成を例示する概略図である。
【図１０】紙幣処理装置の変形例２における第２収集制御について説明するためのフローチャートである。
【発明を実施するための形態】
【００２１】
以下、実施の形態を図面を参照して詳しく説明する。なお、図中同一または相当部分には同一の符号を付しその説明は繰り返さない。
【００２２】
（貨幣処理システム）
図１は、実施形態による貨幣処理システムの外観を例示している。この貨幣処理システムは、紙幣処理装置１０（紙葉類処理装置の一例）と、硬貨処理装置１１と、操作表示部１２（操作部）と、印字部１３とを備えている。例えば、貨幣処理システムは、銀行などの金融機関に設置され、銀行員などの金融機関の従業員により利用される。
【００２３】
硬貨処理装置１１は、硬貨および包装硬貨を処理するように構成されている。具体的には、硬貨処理装置１１は、硬貨の入出金処理，包装硬貨の生成処理，包装硬貨の出金処理などを行うように構成されている。なお、包装硬貨は、所定枚数（例えば５０枚）の硬貨によって構成され、これらの所定枚数の硬貨は、包装媒体（例えば紙やフィルムなど）で包装されている。
【００２４】
操作表示部１２は、貨幣処理システムにおける紙幣や硬貨の処理状況や紙幣や硬貨の在高などの各種の情報を表示するように構成されている。また、操作表示部１２は、操作者に操作されて情報を入力するように構成されている。これにより、操作者は、操作表示部１２を操作して貨幣処理システムに各種の処理を行わせることができる。すなわち、紙幣処理装置１０および硬貨処理装置１１は、操作表示部１２の操作に応じて動作するように構成されている。例えば、表示操作部１２は、タッチパネルによって構成されている。
【００２５】
印字部１３は、貨幣処理システムにおける紙幣や硬貨の処理状況や紙幣や硬貨の在高などの各種の情報をレシートに印字して各種の情報が印字されたレシートを発行するように構成されている。
【００２６】
（紙幣処理装置）
紙幣処理装置１０は、紙幣（紙葉類の一例）および紙幣束（紙葉類束の一例）を処理するように構成されている。具体的には、紙幣処理装置１０は、紙幣の入出金処理，紙幣束の生成処理，紙幣束の出金処理などを行うように構成されている。なお、紙幣束は、所定枚数（例えば１００枚）の紙幣によって構成され、これらの所定枚数の紙幣は、帯封紙で帯封されている。
【００２７】
図２に示すように、紙幣処理装置１０は、筐体２１と、投入部２２と、投出部２３と、出金リジェクト部２４と、紙幣一時保留部２５と、１つまたは複数（この例では４つ）の紙幣収納部２６と、紙幣搬送部２７と、紙幣識別部２８と、表裏反転部２９とを備えている。
【００２８】
〔筐体〕
筐体２１は、略直方体型の箱状に形成され、紙幣処理装置１０の構成部品（この例では投入部２２と投出部２３と出金リジェクト部２４と紙幣一時保留部２５と紙幣収納部２６と紙幣搬送部２７と紙幣識別部２８と表裏反転部２９）を収納している。
【００２９】
〔投入部〕
投入部２２は、紙幣が投入されるように構成されている。この例では、投入部２２は、紙幣処理装置１０の前方（図２では左方）に開口する投入口を有し、この投入口を介して紙幣が投入されるように構成されている。また、投入部２２は、複数枚の紙幣を受け入れ可能に構成されている。この例では、投入部２２には、投入部２２に投入された複数枚の紙幣を１枚ずつ紙幣搬送部２７に繰り出す繰出部２２ａが設けられている。
【００３０】
〔投出部〕
投出部２３は、紙幣を投出するように構成されている。この例では、投出部２３は、複数枚の紙幣を保持可能に構成されている。また、投出部２３は、紙幣処理装置１０の前方（図２では左方）に開口する投出口を有し、この投出口を介して紙幣が投出されるように構成されている。また、この例では、投出部２３の投出口には、シャッタ２３ａが設けられている。なお、投出部２３は、紙幣の入金処理において入金リジェクト部（入金処理において識別できない紙幣である入金リジェクト紙幣を返却する部分）として利用されてもよい。
【００３１】
〔出金リジェクト部〕
出金リジェクト部２４は、紙幣の出金処理において出金すべきではないと判定される紙幣（出金リジェクト紙幣）を集積するように構成されている。この例では、出金リジェクト部２４は、複数枚のリジェクト紙幣を保持可能に構成されている。また、出金リジェクト部２４は、所定の権限を有する操作者が操作すると紙幣処理装置１０の前方（図２では左方）に引き出せるように構成されている。
【００３２】
〔紙幣一時保留部〕
紙幣一時保留部２５は、紙幣（例えば入金処理において入金された紙幣）を一時的に保留（収納）するように構成されている。この例では、紙幣一時保留部２５は、複数枚の紙幣の厚さ方向が上下方向を向き且つ複数枚の紙幣が上下方向に一列に並ぶように複数枚の紙幣を収納する。また、紙幣一時保留部２５は、紙幣搬送部２７との間において紙幣の受け渡しを行うように構成されている。
【００３３】
この例では、紙幣一時保留部２５には、昇降ステージ２５ａと紙幣繰出部２５ｂとが設けられている。昇降ステージ２５ａは、紙幣が載置されて上下に昇降するように構成されている。紙幣繰出部２５ｂは、紙幣搬送部２７から紙幣一時保留部２５に紙幣を１枚ずつ繰り入れ、紙幣一時保留部２５から紙幣搬送部２７に紙幣を１枚ずつ繰り出すように構成されている。
【００３４】
〔紙幣収納部〕
紙幣収納部２６は、紙幣を収納するように構成されている。この例では、紙幣収納部２６は、複数枚の紙幣の厚さ方向が上下方向を向き且つ複数枚の紙幣が上下方向に一列に並ぶように複数枚の紙幣を収納する。また、紙幣搬送部２７との間において紙幣の受け渡しを行うように構成されている。
【００３５】
この例では、紙幣収納部２６には、昇降ステージ２６ａと紙幣繰出部２６ｂとが設けられている。昇降ステージ２６ａは、紙幣が載置されて上下に昇降するように構成されている。紙幣繰出部２６ｂは、紙幣搬送部２７から紙幣収納部２６に紙幣を１枚ずつ繰り入れ、紙幣収納部２６から紙幣搬送部２７に紙幣を１枚ずつ繰り出すように構成されている。
【００３６】
なお、この例では、紙幣収納部２６は、金種別収納部を構成している。具体的には、紙幣収納部２６は、その紙幣収納部２６に予め割り当てられた金種の紙幣を収納するように構成されている。なお、紙幣収納部２６は、異なる金種の紙幣を混合した状態で収納するように構成されていてもよい。
【００３７】
〔紙幣搬送部〕
紙幣搬送部２７は、投入部２２と投出部２３と出金リジェクト部２４と紙幣一時保留部２５と紙幣収納部２６と後述する束生成部３０とに接続されて紙幣を搬送するように構成されている。例えば、紙幣搬送部２７は、紙幣収納部２６（または、投入部２２，紙幣一時保留部２５）から繰り出された紙幣を束生成部３０に搬送する。なお、紙幣搬送部２７は、例えば、紙幣を搬送するための搬送ベルト，搬送ベルトを駆動するための駆動機構，紙幣の搬送を案内するためのガイド機構，紙幣の搬送方向を切り換えるための分岐機構などによって構成されている。
【００３８】
〔紙幣識別部〕
紙幣識別部２８は、紙幣搬送部２７によって搬送される紙幣に対して識別処理と計数処理を行うように構成されている。識別処理では、紙幣識別部２８は、紙幣の金種，真偽，正損，新旧，搬送状態，表裏などを識別する。計数処理では、紙幣識別部２８は、紙幣の枚数を種別毎に計数する。例えば、紙幣識別部２８は、ラインセンサ，磁気センサ，画像センサなどの各種センサ，ＣＰＵなどの演算処理部，演算処理部を動作させるためのプログラムや情報を記憶するメモリなどの記憶部などによって構成されている。
【００３９】
〔表裏反転部〕
表裏反転部２９は、紙幣搬送部２７によって搬送される紙幣の表裏を選択的に反転させるように構成されている。具体的には、表裏反転部２９は、紙幣搬送部２７によって搬送される紙幣の表裏に関する情報（例えば紙幣識別部２８による紙幣の表裏の識別結果）に基づいて、紙幣の表裏の向きが予め定められた向きと一致している場合に、その紙幣を反転させずに通過させ、紙幣の表裏の向きが予め定められた向きと一致していない場合に、その紙幣を反転させて通過させる。
【００４０】
また、紙幣処理装置１０は、束生成部３０と、束投出部４０と、１つまたは複数（この例では４つ）の束収納部５０と、束搬送部６０と、束識別部７０とを備えている。
【００４１】
〔束生成部〕
束生成部３０は、紙幣を受け取り、所定枚数（例えば１００枚）の紙幣によって構成された紙幣束を生成して繰り出す動作を繰り返すように構成されている。
【００４２】
この例では、束生成部３０は、１つまたは複数（この例では２つ）の紙幣集積部３１と、帯封部３２と、アーム機構３３とを有している。紙幣集積部３１は、所定枚数の紙幣を集積するように構成されている。帯封部３２は、所定枚数の紙幣の集合体に帯封紙を巻き付けて紙幣束を生成するように構成されている。アーム機構３３は、上下一対のアーム部を有し、紙幣集積部３１に集積された所定枚数の紙幣の集合体をアーム部により保持して帯封部３２に移動させるように構成されている。また、アーム機構３３は、帯封部３２によって生成された紙幣束をアーム部により保持して束搬送部６０に移動させるように構成されている。
【００４３】
束生成部３０に搬送された紙幣は、紙幣集積部３１に集積される。そして、紙幣集積部３１に所定枚数の紙幣が集積されると、アーム機構３３は、紙幣集積部３１から帯封部３２に所定枚数の紙幣の集合体を移動させる。帯封部３２は、所定枚数の紙幣の集合体に帯封紙を巻き付けて紙幣束を生成する。帯封部３２において紙幣束が生成されると、アーム機構３３は、帯封部３２から束搬送部６０に紙幣束を移動させる。このようにして、束生成部３０において生成された紙幣束が束搬送部６０に繰り出される。
【００４４】
なお、この例では、束生成部３０は、２つの紙幣集積部３１に所定枚数の紙幣が交互に集積されるように構成されていてもよい。そして、アーム機構３３は、一方の紙幣集積部３１に集積された所定枚数の紙幣を帯封部３２に移動させる動作と、他方の紙幣集積部３１に集積された所定枚数の紙幣を帯封部３２に移動させる動作とを交互に行うように構成されていてもよい。
【００４５】
〔束投出部〕
束投出部４０は、紙幣束を投出するように構成されている。この例では、束投出部４０は、紙幣処理装置１０の前方（図２では左方）に開口する束投出口を有し、この束投出口を介して紙幣束が投出されるように構成されている。また、この例では、束投出部４０の束投出口には、シャッタ４０ａが設けられている。
【００４６】
〔束収納部〕
束収納部５０は、紙幣束を収納するように構成されている。この例では、束収納部５０は、複数の紙幣束の束厚方向が上下方向を向き且つ複数の紙幣束が上下方向に一列に並ぶように複数の紙幣束を収納する。また、束収納部５０は、束搬送部６０との間において紙幣束の受け渡しを行うように構成されている。なお、束収納部５０の詳細については、後で詳しく説明する。
【００４７】
〔束搬送部〕
束搬送部６０は、束生成部３０と束投出部４０と束収納部５０とに接続されて紙幣束を搬送するように構成されている。例えば、束搬送部６０は、束生成部３０から繰り出された紙幣束を束収納部５０に搬送する。
【００４８】
この例では、束搬送部６０は、昇降通路６１と、昇降ステージ６２と、搬送ベルト６３とを有している。昇降通路６１は、紙幣束を上下方向に搬送するために設けられている。昇降ステージ６２は、昇降通路６１に設けられている。そして、昇降ステージ６２は、紙幣束が載置されて上下に昇降するように構成されている。搬送ベルト６３は、紙幣束を水平方向に搬送するように構成されている。具体的には、搬送ベルト６３には、紙幣束に搬送ベルト６３の搬送力を伝達するための突起６３ａが設けられており、搬送ベルト６３が駆動すると搬送ベルト６３の突起６３ａが紙幣束に当接して搬送ベルト６３とともに紙幣束が移動する。
【００４９】
束生成部３０から束搬送部６０の昇降通路６１に繰り出された紙幣束は、昇降通路６１の下端位置に停止している昇降ステージ６２に載置され、昇降ステージ６２によって上下方向に搬送される。
【００５０】
昇降ステージ６２に載置された紙幣束を束投出部４０から投出する場合、昇降ステージ６２が昇降通路６１の中間位置（具体的には束投出部４０の下端に対応する位置）に停止し、束投出部４０のシャッタ４０ａが開状態となる。これにより、操作者は、束投出部４０から紙幣束を取り出すことができる。
【００５１】
また、昇降ステージ６２に載置された紙幣束を束収納部５０に収納する場合、昇降ステージ６２が昇降通路６１の上端位置に移動し、昇降ステージ６２に載置された紙幣束が搬送ベルト６３に引き渡される。搬送ベルト６３に引き渡された紙幣束は、搬送ベルト６３によって束収納部５０（その紙幣束を収納する予定となっている束収納部５０）の上方に搬送され、束収納部５０の上端部に設けられた開口から束収納部５０の内部に投入されて束収納部５０に設けられた昇降ステージ５１上（または昇降ステージ５１上に既に集積されている紙幣束上）に載置される。これにより、紙幣束が束収納部５０に収納される。
【００５２】
〔束識別部〕
束識別部７０は、束搬送部６０によって搬送される紙幣束に対して識別処理と計数処理とを行うように構成されている。識別処理では、束識別部７０は、紙幣の金種や束生成状態などを識別する。計数処理では、束識別部７０は、紙幣の枚数を種別毎に計数する。例えば、束識別部７０は、搬送される紙幣束の厚み方向の端面（この例では下面）の画像を取得する画像センサ、ＣＰＵなどの演算処理部、演算処理部を動作させるためのプログラムや情報を記憶するメモリなどの記憶部などによって構成されている。
【００５３】
この例では、束識別部７０は、束収納部５０と昇降通路６１との間に設けられ、搬送ベルト６３によって搬送される紙幣束に対して識別処理と計数処理とを行うように構成されている。
【００５４】
〔制御部〕
また、紙幣処理装置１０は、制御部８０を備えている。図３に示すように、制御部８０は、紙幣処理装置１０の各部（具体的には投入部２２と投出部２３と出金リジェクト部２４と紙幣一時保留部２５と紙幣収納部２６と紙幣搬送部２７と紙幣識別部２８と表裏反転部２９と束生成部３０と束投出部４０と束収納部５０と束搬送部６０と束識別部７０）と信号を伝送可能に接続されている。また、制御部８０は、硬貨処理装置１１や操作表示部１２や印字部１３と信号を伝送可能に接続されている。なお、紙幣処理装置１０の各部には、紙幣や紙幣束の通過を検出する通過センサなどの各種センサが設けられている。
【００５５】
そして、制御部８０は、紙幣処理装置１０において各種の処理が行われるように、操作表示部１２（図１）や紙幣処理装置１０の各部（具体的には各部の構成部品や各部に設けられた各種センサなど）からの信号や情報に基づいて、紙幣処理装置１０の各部を制御して紙幣処理装置１０の動作を制御するように構成されている。例えば、制御部８０は、ＣＰＵなどの演算処理部，演算処理部を動作させるためのプログラムや情報を記憶するメモリなどの記憶部などによって構成されている。
【００５６】
この例では、紙幣処理装置１０では、紙幣収納部２６に収納された紙幣（または、投入部２２に投入された紙幣，紙幣一時保留部２５に収納された紙幣）を用いて紙幣束を生成して束収納部５０に収納する処理（収集処理）が行われる。例えば、制御部８０は、紙幣収納部２６に収納された紙幣の枚数が予め定められた収集開始枚数を上回る場合に、紙幣処理装置１０において収集処理が開始するように紙幣処理装置１０の各部を制御する。または、制御部８０は、操作者による操作表示部１２の操作（紙幣処理装置１０に収集処理を実行させるための操作）に応答して、紙幣処理装置１０において収集処理が開始するように紙幣処理装置１０の各部を制御する。そして、制御部８０は、紙幣収納部２６に収納された紙幣の枚数が予め定められた収集終了枚数を下回る場合（または束収納部５０に収納された紙幣束の束数が予め定められた収集終了束数に到達した場合）に、紙幣処理装置１０において収集処理が終了するように紙幣処理装置１０の各部を制御する。
【００５７】
なお、この例では、制御部８０は、紙幣収納部２６に収納された紙幣の枚数が収集終了枚数を下回る前（または束収納部５０に収納された紙幣束の束数が収集終了束数に到達する前）であっても、束収納部５０に収納された紙幣束の束厚の合計が予め定められた束厚閾値（具体的には後述する第３束厚閾値ＴＨ３）に到達すると、束生成部３０において紙幣束の生成が停止されて収集処理が終了するように紙幣処理装置１０の各部を制御する。この制御については、後で詳しく説明する。
【００５８】
〔収集処理における制御〕
収集処理において、制御部８０は、紙幣収納部２６に収納された紙幣（または、投入部２２に投入された紙幣，紙幣一時保留部２５に収納された紙幣）が束生成部３０に搬送されるように紙幣収納部２６（または、投入部２２，紙幣一時保留部２５）と紙幣搬送部２７とを制御する。また、収集処理において、制御部８０は、束収納部５０に収納された紙幣束の束厚の合計（以下「合計束厚」と記載）に応じて束生成部３０から繰り出される予定となっている紙幣束の束数および束搬送部６０に搬送されている紙幣束の束数の合計（以下「搬送束数」と記載）が段階的に変化するように、紙幣処理装置１０の動作（特に束生成部３０および束搬送部６０の動作）を制御する。具体的には、制御部８０は、次のような動作を行う。
【００５９】
制御部８０は、紙幣束の合計束厚が第１束厚閾値ＴＨ１を下回る場合に、搬送束数が予め定められた第１搬送束数となるように紙幣処理装置１０の動作を制御する。
【００６０】
また、制御部８０は、紙幣束の合計束厚が第１束厚閾値ＴＨ１以上であり且つ予め定められた第２束厚閾値ＴＨ２を下回る場合に、搬送束数が予め定められた第２搬送束数となるように紙幣処理装置１０の動作を制御する。なお、第２束厚閾値ＴＨ２は、第１束厚閾値ＴＨ１よりも厚い束厚に設定されている。第２搬送束数は、第１搬送束数よりも少ない束数に設定されている。
【００６１】
また、制御部８０は、紙幣束の合計束厚が第２束厚閾値ＴＨ２以上であり且つ予め定められた第３束厚閾値ＴＨ３を下回る場合に、搬送束数が予め定められた第３搬送束数となるように紙幣処理装置１０の動作を制御する。なお、第３束厚閾値ＴＨ３は、第２束厚閾値ＴＨ２よりも厚い束厚に設定されている。第３搬送束数は、第２搬送束数よりも少ない束数に設定されている。
【００６２】
そして、制御部８０は、紙幣束の合計束厚が第３束厚閾値ＴＨ３以上である場合に、紙幣束の生成を停止するように紙幣処理装置１０の動作を制御する。
【００６３】
〔束生成部の制御〕
また、この例では、制御部８０は、紙幣搬送部２７による束生成部３０への紙幣の搬送を制御することによって束生成部３０の動作を制御するように構成されている。具体的には、制御部８０は、束生成部３０に紙幣が搬送されるように紙幣搬送部２７を制御することによって束生成部３０による紙幣束の生成を開始させる。また、制御部８０は、紙幣集積部３１に所定枚数（例えば１００枚）の紙幣が集積されるタイミングが所望の周期（搬送束数が所望の搬送束数となる周期）となるように紙幣搬送部２７を制御することによって搬送束数（束生成部３０から繰り出される予定となっている紙幣束の束数および束搬送部６０に搬送されている紙幣束の束数の合計）を制御する。そして、制御部８０は、束生成部３０に紙幣が搬送されないように紙幣搬送部２７を制御することによって束生成部３０による紙幣束の生成を停止させる。
【００６４】
なお、制御部８０は、帯封部３２において紙幣束が生成されるタイミングが所望の周期（搬送束数が所望の搬送束数となる周期）となるように帯封部３２を制御することによって搬送束数を制御してもよい。
【００６５】
〔束厚閾値と搬送束数〕
次に、図４を参照して、束厚閾値（第１束厚閾値ＴＨ１と第２束厚閾値ＴＨ２と第３束厚閾値ＴＨ３）と、搬送束数（第１搬送束数と第２搬送束数と第３搬送束数）について説明する。
【００６６】
なお、図４において、基準束厚ＲＴは、予め定められた紙幣束の束厚（基準となる束厚）のことである。この例では、基準束厚ＲＴは、所定枚数の流通券（流通期間が比較的に長い紙幣）によって構成された紙幣束の束厚の想定値に設定されている。なお、流通券の厚みは、流通期間が比較的に短い紙幣（新券）の厚みよりも厚くなる傾向にあり、所定枚数の流通券によって構成された紙幣束の束厚は、所定枚数の新券によって構成された紙幣束の束厚よりも厚くなる傾向にある。すなわち、基準束厚ＲＴは、所定枚数の新券によって構成された紙幣束の束厚よりも厚めに設定されている。
【００６７】
また、図４は、束収納部５０に７つの新券が収納されている場合を例示している。すなわち、図４の例では、束収納部５０に収納されている紙幣束の束厚ＢＴは、基準束厚ＲＴよりも薄い束厚となっている。
【００６８】
〈第１束厚閾値〉
第１束厚閾値ＴＨ１は、基準束厚ＲＴに予め定められた第１収納束数を乗算して得られる束厚に設定されている。この例では、第１収納束数は「２」に設定されている。
【００６９】
〈第２束厚閾値〉
第２束厚閾値ＴＨ２は、基準束厚ＲＴに予め定められた第２収納束数を乗算して得られる束厚に設定されている。第２収納束数は、第１収納束数よりも多い束数に設定されている。この例では、第２収納束数は「７」に設定されている。
【００７０】
〈第３束厚閾値〉
第３束厚閾値ＴＨ３は、基準束厚ＲＴに予め定められた第３収納束数を乗算して得られる束厚に設定されている。第３収納束数は、第２収納束数よりも多い束数に設定されている。この例では、第３収納束数は「９」に設定されている。
【００７１】
〈第１搬送束数〉
第１搬送束数は、第２収納束数から第１収納束数を減算して得られる束数よりも少なくなっているか同一となっている。この例では、第１収納束数は「２」に設定され、第２収納束数は「７」に設定されている。そして、第１搬送束数は「４」に設定されている。
【００７２】
〈第２搬送束数〉
第２搬送束数は、第３収納束数から第２収納束数を減算して得られる束数よりも少なくなっているか同一となっている。この例では、第２収納束数は「７」に設定され、第３収納束数は「９」に設定されている。そして、第２搬送束数は「２」に設定されている。
【００７３】
〈第３搬送束数〉
第３搬送束数は、束収納部５０に対して予め定められた上限収納束数から第３収納束数を減算して得られる束数よりも少なくなっているか同一となっている。この例では、束収納部５０における上限収納束数は「１０」に設定され、第３収納束数は「９」に設定されている。そして、第３搬送束数は「１」に設定されている。
【００７４】
〔束収納部の詳細〕
次に、図４を参照して、束収納部５０の構成について詳しく説明する。束収納部５０には、昇降ステージ５１と、通過センサ５２と、第１センサ８１と、第２センサ８２と、第３センサ８３とが設けられている。
【００７５】
〈昇降ステージと通過センサ〉
昇降ステージ５１は、紙幣束が載置されて昇降するように構成されている。通過センサ５２は、昇降ステージ５１に載置された紙幣束の最上面（１つの紙幣束が載置されている場合は、紙幣束の上面、複数の紙幣束が載置されている場合は、最上段の紙幣束の上面）が束収納部５０に対して予め定められた収納上限位置（図４では「０」の位置）を通過したことを検知するように構成されている。
【００７６】
そして、昇降ステージ５１は、紙幣束が載置されると載置された紙幣束の最上面が収納上限位置となるように降下する。具体的には、昇降ステージ５１は、紙幣束が載置されると降下を開始し、通過センサ５２による検知（昇降ステージ５１に載置された紙幣束の最上面が収納上限位置に到達したことの検知）に応答して下降を停止する。
【００７７】
〈第１センサ〉
第１センサ８１は、紙幣束の合計束厚ＴＴが予め定められた第１束厚閾値ＴＨ１に到達したことを検知するように構成されている。この例では、第１センサ８１は、昇降ステージ５１が予め定められた第１閾値位置に到達したことを検知するように構成されている。なお、第１閾値位置は、収納上限位置の下方に存在し且つ上下方向における収納上限位置との間の距離が第１束厚閾値ＴＨ１に対応する距離（具体的には第１束厚閾値ＴＨ１と昇降ステージ５１の上下方向の厚みとの合計に相当する距離）となっている位置のことである。このような構成により、昇降ステージ５１に載置された紙幣束の合計束厚ＴＴが第１束厚閾値ＴＨ１に到達すると、昇降ステージ５１が第１閾値位置に到達することになる。
【００７８】
〈第２センサ〉
第２センサ８２は、紙幣束の合計束厚ＴＴが予め定められた第２束厚閾値ＴＨ２に到達したことを検知するように構成されている。この例では、第２センサ８２は、昇降ステージ５１が予め定められた第２閾値位置に到達したことを検知するように構成されている。なお、第２閾値位置は、第１閾値位置の下方に存在し且つ上下方向における収納上限位置との間の距離が第２束厚閾値ＴＨ２に対応する距離（具体的には第２束厚閾値ＴＨ２と昇降ステージ５１の上下方向の厚みとの合計に相当する距離）となっている位置のことである。このような構成により、昇降ステージ５１に載置された紙幣束の合計束厚ＴＴが第２束厚閾値ＴＨ２に到達すると、昇降ステージ５１が第２閾値位置に到達することになる。
【００７９】
〈第３センサ〉
第３センサ８３は、紙幣束の合計束厚ＴＴが予め定められた第３束厚閾値ＴＨ３に到達したことを検知するように構成されている。この例では、第３センサ８３は、昇降ステージ５１が予め定められた第３閾値位置に到達したことを検知するように構成されている。なお、第３閾値位置は、第２閾値位置の下方に存在し且つ上下方向における収納上限位置との間の距離が第３束厚閾値ＴＨ３に対応する距離（具体的には第３束厚閾値ＴＨ３と昇降ステージ５１の上下方向の厚みとの合計に相当する距離）となっている位置のことである。このような構成により、昇降ステージ５１に載置された紙幣束の合計束厚ＴＴが第３束厚閾値ＴＨ３に到達すると、昇降ステージ５１が第３閾値位置に到達することになる。
【００８０】
〔収集処理〕
次に、図５〜図８を参照して、収集処理における紙幣処理装置１０の動作について説明する。例えば、制御部８０は、紙幣収納部２６に収納された紙幣の枚数が予め定められた収集開始枚数を上回る場合に以下の動作を行う。または、制御部８０は、操作者による操作表示部１２の操作（紙幣処理装置１０に収集処理を実行させるための操作）に応答して以下の動作を行う。なお、図６〜図８において、ハッチングが付されたブロックは、紙幣束（または紙幣束となる所定枚数の紙幣の集合体）を示している。また、この例では、第１搬送束数は「４」に設定され、第２搬送束数は「２」に設定され、第３搬送束数は「１」に設定されている。
【００８１】
〈ステップＳ１１〉
まず、制御部８０は、紙幣束の合計束厚ＴＴ（束収納部５０に収納された紙幣束の束厚ＢＴの合計）が第１束厚閾値ＴＨ１を下回るか否かを判定する。この例では、制御部８０は、第１センサ８１による検知（すなわち紙幣束の合計束厚ＴＴが第１束厚閾値ＴＨ１に到達したことの検知）がない場合に、紙幣束の合計束厚ＴＴが第１束厚閾値ＴＨ１を下回ると判定し、第１センサ８１による検知がある場合に、紙幣束の合計束厚ＴＴが第１束厚閾値ＴＨ１以上であると判定する。紙幣束の合計束厚ＴＴが第１束厚閾値ＴＨ１を下回る場合には、ステップＳ１２へ進み、そうでない場合には、ステップＳ１３へ進む。
【００８２】
〈ステップＳ１２（第１収集動作）〉
紙幣束の合計束厚ＴＴが第１束厚閾値ＴＨ１を下回る場合、制御部８０は、第１収集動作を開始する。第１収集動作では、制御部８０は、搬送束数（束生成部３０から繰り出される予定となっている紙幣束の束数および束搬送部６０に搬送されている紙幣束の束数の合計）が第１搬送束数となるように紙幣処理装置１０の動作を制御する。この例では、図６に示すように、制御部８０は、搬送束数が「４」となるように紙幣処理装置１０の動作を制御する。なお、図６の例では、束生成部３０から繰り出される予定となっている紙幣束の束数は「２」であり、束搬送部６０に搬送されている紙幣束の束数は「２」である。
【００８３】
具体的には、第１収集動作では、制御部８０は、紙幣収納部２６（または投入部２２，紙幣一時保留部２５）から束生成部３０へ向けて紙幣の搬送が連続的に行われて搬送束数が第１搬送束数（この例では４束）となるように紙幣搬送部２７と束生成部３０と束搬送部６０を制御する。そして、束収納部５０に紙幣束（１束）が収納されると、制御部８０は、紙幣束の合成束厚ＴＴが第１束厚閾値ＴＨ１を下回るか否かを判定し、紙幣束の合計束厚ＴＴが第１束厚閾値ＴＨ１を下回る場合には第１収集動作を継続し、紙幣束の合計束厚ＴＴが第１束厚閾値ＴＨ１に到達している場合には第１収集動作を終了する。
【００８４】
〈ステップＳ１３〉
一方、紙幣束の合計束厚ＴＴが第１束厚閾値ＴＨ１以上である場合、制御部８０は、紙幣束の合計束厚ＴＴが第２束厚閾値ＴＨ２を下回るか否かを判定する。この例では、制御部８０は、第２センサ８２による検知（すなわち紙幣束の合計束厚ＴＴが第２束厚閾値ＴＨ２に到達したことの検知）がない場合に、紙幣束の合計束厚ＴＴが第２束厚閾値ＴＨ２を下回ると判定し、第２センサ８２による検知がある場合に、紙幣束の合計束厚ＴＴが第２束厚閾値ＴＨ２以上であると判定する。紙幣束の合計束厚ＴＴが第２束厚閾値ＴＨ２を下回る場合には、ステップＳ１４へ進み、そうでない場合には、ステップＳ１５へ進む。
【００８５】
〈ステップＳ１４（第２収集動作）〉
紙幣束の合計束厚ＴＴが第１束厚閾値ＴＨ１以上であり且つ第２束厚閾値ＴＨ２を下回る場合、制御部８０は、第２収集動作を行う。第２収集動作では、制御部８０は、搬送束数（束生成部３０から繰り出される予定となっている紙幣束の束数および束搬送部６０に搬送されている紙幣束の束数の合計）が第２搬送束数となるように紙幣処理装置１０の動作を制御する。この例では、図７に示すように、制御部８０は、搬送束数が「２」となるように紙幣処理装置１０の動作を制御する。なお、図７の例では、束生成部３０から繰り出される予定となっている紙幣束の束数は「２」であり、束搬送部６０に搬送されている紙幣束の束数は「０」である。
【００８６】
具体的には、第２収集動作では、制御部８０は、紙幣収納部２６（または投入部２２，紙幣一時保留部２５）から束生成部３０へ向けて紙幣の搬送が連続的に行われて搬送束数が第２搬送束数（この例では２束）となるように紙幣搬送部２７と束生成部３０と束搬送部６０を制御する。そして、束収納部５０に紙幣束（１束）が収納されると、制御部８０は、紙幣束の合成束厚ＴＴが第２束厚閾値ＴＨ２を下回るか否かを判定し、紙幣束の合計束厚ＴＴが第２束厚閾値ＴＨ２を下回る場合には第２収集動作を継続し、紙幣束の合計束厚ＴＴが第２束厚閾値ＴＨ２に到達している場合には第２収集動作を終了する。
【００８７】
なお、第２収集動作の開始前に第１収集動作が行われている場合、制御部８０は、紙幣束の合計束厚ＴＴが第１束厚閾値ＴＨ１に到達すると第１収集動作を終了して第２収集動作を開始する。具体的には、制御部８０は、紙幣束の合計束厚ＴＴが第１束厚閾値ＴＨ１に到達すると第１収集動作を終了し、第１搬送束数に相当する束数（この例では４束）の紙幣束が束収納部５０に収納された後に第２収集動作を開始する。
【００８８】
〈ステップＳ１５〉
一方、紙幣束の合計束厚ＴＴが第２束厚閾値ＴＨ２以上である場合、制御部８０は、紙幣束の合計束厚ＴＴが第３束厚閾値ＴＨ３を下回るか否かを判定する。この例では、制御部８０は、第３センサ８３による検知（すなわち紙幣束の合計束厚ＴＴが第３束厚閾値ＴＨ３に到達したことの検知）がない場合に、紙幣束の合計束厚ＴＴが第３束厚閾値ＴＨ３を下回ると判定し、第３センサ８３による検知がある場合に、紙幣束の合計束厚ＴＴが第３束厚閾値ＴＨ３以上であると判定する。紙幣束の合計束厚ＴＴが第３束厚閾値ＴＨ３を下回る場合には、ステップＳ１６へ進み、そうでない場合には、ステップＳ１７へ進む。
【００８９】
〈ステップＳ１６（第２収集動作）〉
紙幣束の合計束厚ＴＴが第２束厚閾値ＴＨ２以上であり且つ第３束厚閾値ＴＨ３を下回る場合、制御部８０は、第３収集動作を行う。第３収集動作では、制御部８０は、搬送束数（束生成部３０から繰り出される予定となっている紙幣束の束数および束搬送部６０に搬送されている紙幣束の束数の合計）が第３搬送束数となるように紙幣処理装置１０の動作を制御する。この例では、図８に示すように、制御部８０は、搬送束数が「１」となるように紙幣処理装置１０の動作を制御する。なお、図８の例では、束生成部３０から繰り出される予定となっている紙幣束の束数は「１」であり、束搬送部６０に搬送されている紙幣束の束数は「０」である。
【００９０】
具体的には、第３収集動作では、制御部８０は、紙幣収納部２６（または投入部２２，紙幣一時保留部２５）から束生成部３０へ向けて紙幣の搬送が連続的に行われて搬送束数が第３搬送束数（この例では１束）となるように紙幣搬送部２７と束生成部３０と束搬送部６０を制御する。そして、束収納部５０に紙幣束（１束）が収納されると、制御部８０は、紙幣束の合成束厚ＴＴが第３束厚閾値ＴＨ３を下回るか否かを判定し、紙幣束の合計束厚ＴＴが第３束厚閾値ＴＨ３を下回る場合には第３収集動作を継続し、紙幣束の合計束厚ＴＴが第３束厚閾値ＴＨ３に到達している場合には第３収集動作を終了する。
【００９１】
なお、第３収集動作の開始前に第２収集動作が行われている場合、制御部８０は、紙幣束の合計束厚ＴＴが第２束厚閾値ＴＨ２に到達すると第２収集動作を終了して第３収集動作を開始する。具体的には、制御部８０は、紙幣束の合計束厚ＴＴが第２束厚閾値ＴＨ２に到達すると第２収集動作を終了し、第２搬送束数に相当する束数（この例では２束）の紙幣束が束収納部５０に収納された後に第３収集動作を開始する。
【００９２】
〈ステップＳ１７〉
一方、紙幣束の合計束厚ＴＴが第３束厚閾値ＴＨ３以上である場合、制御部８０は、紙幣束の生成を停止するように紙幣処理装置１０の動作を制御する。そして、処理を終了する。
【００９３】
なお、紙幣束の生成を停止する前に第３収集動作が行われている場合、第３収集動作が終了した後に、第３搬送束数に相当する束数（この例では１束）の紙幣束が束収納部５０に搬送されて収納されることになる。
【００９４】
〔実施形態による効果〕
以上のように、この実施形態による紙幣処理装置１０では、紙幣束の合計束厚ＴＴ（束収納部５０に収納された紙幣束の束厚の合計）に基づいて紙幣処理装置１０の動作を制御することにより、紙幣束の束厚の変化による収納束数（束収納部５０に収納された紙幣束の束数）の変化に影響を受けることなく紙幣処理装置１０の動作を適切に制御することができる。また、紙幣束の合計束厚ＴＴに応じて搬送束数（束生成部３０から繰り出される予定となっている紙幣束の束数および束搬送部６０に搬送されている紙幣束の束数の合計）を段階的に変化させることにより、束生成部３０において生成された１つの紙幣束が束生成部３０から束収納部５０に搬送されて収納された後に束生成部３０において次の紙幣束の生成が開始されるように紙幣処理装置１０の動作を制御する場合（いわゆる１束搬送の場合）よりも、紙幣束を生成して束収納部に収納する処理（この例では収集処理）の時間を短縮することができる。
【００９５】
また、この実施形態による紙幣処理装置１０では、３つの束厚閾値（第１束厚閾値ＴＨ１と第２束厚閾値ＴＨ２と第３束厚閾値ＴＨ３）を設定し、紙幣束の合計束厚ＴＴの増加に応じて搬送束数を第１搬送束数から第２搬送束数と第３搬送束数とに段階的に減少させている。これにより、１束搬送の場合（すなわち束生成部３０から束収納部５０へ向けて紙幣束が１束ずつ搬送される場合）よりも、束生成部３０から束収納部５０へ向けて複数の紙葉類束が連続的に搬送される時間を長くすることができる。そのため、紙幣束を生成して束収納部に収納する処理（この例では収集処理）の時間を短縮することができる。
【００９６】
また、第１束厚閾値ＴＨ１を基準束厚ＲＴに第１収納束数を乗算して得られる束厚に設定し、第２束厚閾値ＴＨ２を基準束厚ＲＴに第２収納束数を乗算して得られる束厚に設定し、第３束厚閾値ＴＨ３を基準束厚ＲＴに前記第２収納束数よりも多い第３収納束数を乗算して得られる束厚に設定することにより、束厚閾値（第１束厚閾値ＴＨ１と第２束厚閾値ＴＨ２と第３束厚閾値ＴＨ３）を収納束数（第１収納束数と第２収納束数と第３収納束数）を用いて設定することができる。これにより、束厚閾値の設定を容易にすることができる。
【００９７】
また、第２収納束数から第１収納束数を減算して得られる束数よりも少なくなるか同一となるように第１搬送束数を設定することにより、紙幣束の合計束厚ＴＴが第１束厚閾値ＴＨ１に到達して搬送束数が第１搬送束数から第２搬送束数に切り換えられた場合に、束生成部３０から繰り出される予定となっている紙幣束および束搬送部６０に搬送されている紙幣束（すなわち第１搬送束数に相当する束数の紙幣束）が束収納部５０に搬送されて紙幣束の合計束厚ＴＴが第２束厚閾値ＴＨ２に到達することを防止することができる。これにより、束収納部５０におけるオーバーフローの発生を防止するための制御を正確に行うことができる。
【００９８】
また、第３収納束数から第２収納束数を減算して得られる束数よりも少なくなるか同一となるように第２搬送束数を設定することにより、紙幣束の合計束厚ＴＴが第２束厚閾値ＴＨ２に到達して搬送束数が第２搬送束数から第３搬送束数に切り換えられた場合に、束生成部３０から繰り出される予定となっている紙幣束および束搬送部６０に搬送されている紙幣束（すなわち第２搬送束数に相当する束数の紙幣束）が束収納部５０に搬送されて紙幣束の合計束厚ＴＴが第３束厚閾値ＴＨ３に到達することを防止することができる。これにより、束収納部５０におけるオーバーフローの発生を防止するための制御を正確に行うことができる。
【００９９】
また、束収納部５０に対して予め定められた上限収納束数から第３収納束数を減算して得られる束数よりも少なくなるか同一となるように第３搬送束数を設定することにより、紙幣束の合計束厚ＴＴが第３束厚閾値ＴＨ３に到達して束生成部３０において紙幣束の生成が停止された場合に、束生成部３０から繰り出される予定となっている紙幣束および束搬送部６０に搬送されている紙幣束（すなわち第３搬送束数に相当する束数の紙幣束）が束収納部５０に搬送されて紙幣束の合計束厚ＴＴが束収納部５０の収納上限束厚（基準束厚に上限収納束数を乗算して得られる束厚）に到達することを防止することができる。これにより、束収納部５０におけるオーバーフローの発生を防止するための制御を正確に行うことができる。
【０１００】
また、第３搬送束数を「１」に設定することにより、紙幣束の合計束厚ＴＴが第３束厚閾値ＴＨ３に到達して束生成部３０において紙幣束の生成が停止された場合に、束生成部３０から繰り出される予定となっている紙幣束および束搬送部６０に搬送されている紙幣束（すなわち第３搬送束数に相当する束数の紙幣束）が束収納部５０に搬送されて紙幣束の合計束厚ＴＴが束収納部５０の収納上限束厚（基準束厚に上限収納束数を乗算して得られる束厚）に到達することを確実に防止することができる。これにより、束収納部５０におけるオーバーフローの発生を防止するための制御を正確に行うことができる。
【０１０１】
また、第１束厚閾値ＴＨ１と第２束厚閾値ＴＨ２と第３束厚閾値ＴＨ３にそれぞれ対応する第１センサ８１と第２センサ８２と第３センサ８３を設けることにより、紙葉類束の合計束厚ＴＴが束厚閾値（第１束厚閾値ＴＨ１と第２束厚閾値ＴＨ２と第３束厚閾値ＴＨ３）に到達したこと正確に検知することができる。
【０１０２】
（紙幣処理装置の変形例１）
図９に示すように、束収納部５０には、第１センサ８１と第２センサ８２と第３センサ８３とに代えて、上側センサ８６と下側センサ８７とが設けられていてもよい。
【０１０３】
〔上側センサ〕
上側センサ８６は、昇降ステージ５１が上側閾値位置に到達したことを検知するように構成されている。なお、上側閾値位置は、収納上限位置の下方に存在し且つ上下方向における収納上限位置との間の距離が第２束厚閾値ＴＨ２に対応する距離（具体的には第２束厚閾値ＴＨ２と昇降ステージ５１の上下方向の厚みとの合計に相当する距離）となっている。このような構成により、昇降ステージ５１に載置された紙幣束の合計束厚ＴＴが第２束厚閾値ＴＨ２に到達すると、昇降ステージ５１が上側閾値位置に到達することになる。
【０１０４】
〔下側センサ〕
下側センサ８７は、昇降ステージ５１が下側閾値位置に到達したことを検知するように構成されている。なお、下側閾値位置は、上側閾値位置の下方に存在し且つ上下方向における収納上限位置との間の距離が第３束厚閾値ＴＨ３に対応する距離（具体的には第３束厚閾値ＴＨ３と昇降ステージ５１の上下方向の厚みとの合計に相当する距離）となっている。このような構成により、昇降ステージ５１に載置された紙幣束の合計束厚ＴＴが第３束厚閾値ＴＨ３に到達すると、昇降ステージ５１が下側閾値位置に到達することになる。
【０１０５】
〔制御部〕
図９の例では、制御部８０は、昇降ステージ５１に紙幣束が載置されて昇降ステージ５１が降下する際に上側センサ８６による検知がない場合に、予め定められた強制移動距離ＤＤだけ昇降ステージ５１を降下させた後に昇降ステージ５１を元の位置に戻すように構成されている。なお、強制移動距離ＤＤは、第２束厚閾値ＴＨ２から第１束厚閾値ＴＨ１を減算して得られる束厚に対応する距離に設定されている。このような構成により、昇降ステージ５１に載置された紙幣束の合計束厚ＴＴが第１束厚閾値ＴＨ１に到達すると、強制移動距離ＤＤだけ昇降ステージ５１を降下させて昇降ステージ５１を元の位置に戻す場合に昇降ステージ５１が上側閾値位置に到達することになる。そして、図９の例では、制御部８０は、以下のように動作する。
【０１０６】
制御部８０は、昇降ステージ５１に紙幣束が載置されて昇降ステージ５１が降下する際に上側センサ８６による検知（昇降ステージ５１が上側閾値位置に到達したことの検知）がなく且つ強制移動距離ＤＤだけ昇降ステージ５１を降下させて昇降ステージ５１を元の位置に戻す際に上側センサ８６による検知がない場合に、搬送束数（束生成部３０から繰り出される予定となっている紙幣束の束数および束搬送部６０に搬送されている紙幣束の束数の合計）が第１搬送束数となるように紙幣処理装置１０の動作を制御する。
【０１０７】
また、制御部８０は、昇降ステージ５１に紙幣束が載置されて昇降ステージ５１が降下する際に上側センサ８６による検知がなく且つ強制移動距離ＤＤだけ昇降ステージ５１を降下させて昇降ステージ５１を元の位置に戻す際に上側センサ８６による検知がある場合に、搬送束数が第２搬送束数となるように紙幣処理装置１０の動作を制御する。
【０１０８】
また、制御部８０は、昇降ステージ５１に紙幣束が載置されて昇降ステージ５１が降下する際に上側センサ８６による検知があり且つ下側センサ８７による検知（昇降ステージ５１が下側閾値位置に到達したことの検知）がない場合に、搬送束数が第３搬送束数となるように紙幣処理装置１０の動作を制御する。
【０１０９】
そして、制御部８０は、昇降ステージ５１に紙幣束が載置されて昇降ステージ５１が降下する際に下側センサ８７による検知がある場合に、紙幣束の生成を停止するように紙幣処理装置１０の動作を制御する。
【０１１０】
〔紙幣処理装置の変形例１による効果〕
以上のように構成することにより、第２束厚閾値ＴＨ２および第３束厚閾値ＴＨ３にそれぞれ対応する上側センサ８６および下側センサ８７と昇降ステージ５２の制御とによって紙幣束の合計束厚ＴＴが束厚閾値（第１束厚閾値ＴＨ１と第２束厚閾値ＴＨ２と第３束厚閾値ＴＨ３）に到達したことを検知することができる。これにより、第１束厚閾値ＴＨ１に対応するセンサを削減することができる。
【０１１１】
（紙幣処理装置の変形例２）
なお、紙幣処理装置１０において、２種類の収集処理（第１収集処理と第２収集処理）が行われてもよい。第１収集処理および第２収集処理は、紙幣収納部２６に収納された紙幣（または、投入部２２に投入された紙幣，紙幣一時保留部２５に収納された紙幣）を用いて紙幣束を生成して束収納部５０に収納する処理のことである。なお、第２収集処理において束収納部５０に収納される紙幣束の束数は、第１収集処理において束収納部５０に収納される紙幣束の束数よりも少なくなっている。例えば、第１収集処理は、束収納部５０をフル状態（満杯状態）にする場合に行われ、第２収集処理は、束収納部５０をニアフル状態（満杯状態よりも束収納部５０に収納されている紙幣束の束数が少なく束収納部５０に紙幣束を収納する余裕がある状態）にする場合に行われる。なお、束収納部５０をニアフル状態にする場合の一例としては、紙幣処理装置１０において精査処理（束収納部５０に収納された紙幣束を昇降通路６１に搬送した後に束識別部７０において紙幣束の識別を行いながら昇降通路６１から束収納部５０に紙幣束を戻す処理）を確実に行うことを可能とするために束収納部５０に収納される紙幣束の束数が制限されている場合が挙げられる。そして、制御部８０は、第１収集処理に対応する第１収集制御と、第２収集処理に対応する第２収集制御とを行うように構成されていてもよい。例えば、制御部８０は、操作者による設定（または予め登録された設定）に応じて第１収集制御と第２収集制御とを切り換えるように構成されている。
【０１１２】
〔第１収集制御〕
第１収集制御では、制御部８０は、図５に示した動作と同様の動作を行う。すなわち、制御部８０は、紙幣束の合計束厚ＴＴが第１束厚閾値ＴＨ１を下回る場合に、搬送束数（束生成部３０から繰り出される予定となっている紙幣束の束数および束搬送部６０に搬送されている紙幣束の束数の合計）が第１搬送束数となるように紙幣処理装置１０の動作を制御する。また、制御部８０は、紙幣束の合計束厚ＴＴが第１束厚閾値ＴＨ１以上であり且つ第２束厚閾値ＴＨ２を下回る場合に、搬送束数が第２搬送束数となるように紙幣処理装置１０の動作を制御する。また、制御部８０は、紙幣束の合計束厚ＴＴが第２束厚閾値ＴＨ２以上であり且つ第３束厚閾値ＴＨ３を下回る場合に、搬送束数が第３搬送束数となるように紙幣処理装置１０の動作を制御する。そして、制御部８０は、紙幣束の合計束厚ＴＴが第３束厚閾値ＴＨ３以上である場合に、紙幣束の生成を停止するように紙幣処理装置１０の動作を制御する。
【０１１３】
〔第２収集制御〕
第２収集制御では、制御部８０は、紙幣束の合計束厚ＴＴが第１束厚閾値ＴＨ１を下回る場合に、搬送束数（束生成部３０から繰り出される予定となっている紙幣束の束数および束搬送部６０に搬送されている紙幣束の束数の合計）が予め定められた第４搬送束数となるように紙幣処理装置１０の動作を制御する。また、制御部８０は、紙幣束の合計束厚ＴＴが第１束厚閾値ＴＨ１以上であり且つ第２束厚閾値ＴＨ２を下回る場合に、搬送束数が予め定められた第５搬送束数となるように紙幣処理装置１０の動作を制御する。そして、制御部８０は、紙幣束の合計束厚ＴＴが第２束厚閾値ＴＨ２以上である場合に、紙幣束の生成を停止するように紙幣処理装置１０の動作を制御する。なお、第５搬送束数は、第４搬送束数よりも少ない束数に設定されている。
【０１１４】
次に、図１０を参照して、制御部８０の第２収集制御について説明する。第２収集制御では、制御部８０は、以下の動作を行う。
【０１１５】
〈ステップＳ２１〉
まず、制御部８０は、紙幣束の合計束厚ＴＴ（束収納部５０に収納された紙幣束の束厚ＢＴの合計）が第１束厚閾値ＴＨ１を下回るか否かを判定する。紙幣束の合計束厚ＴＴが第１束厚閾値ＴＨ１を下回る場合には、ステップＳ２２へ進み、そうでない場合には、ステップＳ２３へ進む。
【０１１６】
〈ステップＳ２２（第４収集動作）〉
紙幣束の合計束厚ＴＴが第１束厚閾値ＴＨ１を下回る場合、制御部８０は、第４収集動作を開始する。第４収集動作では、制御部８０は、搬送束数が第４搬送束数となるように紙幣処理装置１０の動作を制御する。なお、第４搬送束数は、第１搬送束数と同様に、第２収納束数から第１収納束数を減算して得られる束数よりも少なくなっているか同一となっている。この例では、第１収納束数は「２」に設定され、第２収納束数は「７」に設定されている。そして、第４搬送束数は「４」に設定されている。
【０１１７】
〈ステップＳ２３〉
一方、紙幣束の合計束厚ＴＴが第１束厚閾値ＴＨ１以上である場合、制御部８０は、紙幣束の合計束厚ＴＴが第２束厚閾値ＴＨ２を下回るか否かを判定する。紙幣束の合計束厚ＴＴが第２束厚閾値ＴＨ２を下回る場合には、ステップＳ２４へ進み、そうでない場合には、ステップＳ２５へ進む。
【０１１８】
〈ステップＳ２４（第５収集動作）〉
紙幣束の合計束厚ＴＴが第１束厚閾値ＴＨ１以上であり且つ第２束厚閾値ＴＨ２を下回る場合、制御部８０は、第５収集動作を行う。第５収集動作では、制御部８０は、搬送束数が第５搬送束数となるように紙幣処理装置１０の動作を制御する。なお、第５搬送束数は、束収納部５０に対して予め定められた中間収納束数（上限収納束数よりも少ない束数）から第２収納束数を減算して得られる束数よりも少なくなっているか同一となっている。この例では、中間収納束数は「８」に設定され、第２収納束数は「７」に設定されている。そして、第５搬送束数は「１」に設定されている。
【０１１９】
なお、第５収集動作の開始前に第４収集動作が行われている場合、制御部８０は、紙幣束の合計束厚ＴＴが第１束厚閾値ＴＨ１に到達すると第４収集動作を終了し、第４搬送束数に相当する束数（この例では４つ）の紙幣束が束収納部５０に収納されると第５収集動作を開始する。
【０１２０】
〈ステップＳ２５〉
一方、紙幣束の合計束厚ＴＴが第２束厚閾値ＴＨ２以上である場合、制御部８０は、紙幣束の生成を停止するように紙幣処理装置１０の動作を制御する。そして、処理を終了する。
【０１２１】
〔紙幣処理装置の変形例２による効果〕
以上のように、第１収集制御と第２収集制御との間において束厚閾値（具体的には第１束厚閾値ＴＨ１と第２束厚閾値ＴＨ２）を共通化することにより、第１収集制御と第２収集制御との間において束厚閾値が共通化されずに個別に設定されている場合よりも、センサなどの部品点数の削減および制御の簡素化を図ることができる。
【０１２２】
（その他の実施形態）
なお、制御部８０は、紙幣収納部２６に収納された紙幣の枚数が収集終了枚数を下回る前（または束収納部５０に収納された紙幣束の束数が収集終了束数に到達する前）に収集処理を終了させた場合に、束収納部５０に収納された紙幣束（または紙幣収納部２６に収納された紙幣）を回収するための処理（回収処理）の実行を促す情報を出力するように構成されていてもよい。例えば、制御部８０は、回収処理の実行を促すメッセージを操作表示部１２に表示させるように構成されていてもよいし、回収処理の実行を促すメッセージを外部機器（例えば出納担当者が所有するタブレット端末）に送信するように構成されていてもよい。このように構成することにより、紙幣収納部２６の空き容量を確保することができ、次の入金処理を正常に行うことができる。
【０１２３】
また、以上の説明では、紙葉類処理装置の一例として紙幣および紙幣束を処理する紙幣処理装置１０を例に挙げたが、紙葉類処理装置は、有価媒体および有価媒体束（紙葉類および紙葉類束の一例）を処理する有価媒体処理装置（紙葉類処理装置の一例）によって構成されていてもよい。なお、有価媒体は、小切手や商品券などのことである。
【０１２４】
また、以上の説明では、複数の紙幣束の束厚方向が上下方向を向き且つ複数の紙幣束が上下方向に一列に並ぶように束収納部５０が複数の紙幣束を収納するように構成されている場合を例に挙げたが、束収納部５０は、複数の紙幣束の束厚方向が横方向（水平方向）を向き且つ複数の紙幣束が横方向（水平方向）に一列に並ぶように複数の紙幣束を収納するように構成されていてもよい。
【０１２５】
また、紙葉類束を構成する所定枚数の紙葉類は、同一の種類（例えば同一の金種）であってもよいし、異なる種類（例えば異なる金種）であってもよい。
【０１２６】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０１２７】
以上説明したように、ここに開示する技術は、紙葉類処理装置に有用である。
【符号の説明】
【０１２８】
１０        紙幣処理装置
１１        硬貨処理装置
１２        操作表示部
１３        印字部
２１        筐体
２２        投入部
２３        投出部（入金リジェクト部）
２４        出金リジェクト部
２５        紙幣一時保留部
２６        紙幣収納部
２７        紙幣搬送部
２８        紙幣識別部
２９        表裏反転部
３０        束生成部
３１        紙幣集積部
３２        帯封部
３３        アーム機構
４０        束投出部
５０        束収納部
５１        昇降ステージ
５２        通過センサ
６０        束搬送部
６１        昇降通路
６２        昇降ステージ
６３        搬送ベルト
７０        束識別部
８０        制御部
８１        第１センサ
８２        第２センサ
８３        第３センサ
８６        上側センサ
８７        下側センサ
【図１】
2018081379.tif 000003
【図２】
2018081379.tif 000004
【図３】
2018081379.tif 000005
【図４】
2018081379.tif 000006
【図５】
2018081379.tif 000007
【図６】
2018081379.tif 000008
【図７】
2018081379.tif 000009
【図８】
2018081379.tif 000010
【図９】
2018081379.tif 000011
【図１０】
2018081379.tif 000012